(57)【要約】【課題】  本発明は指圧の効果と遠赤外線の効果で、効率よく身体のコリや冷え性等の改善を図ることができるとともに、安価で、電気代等の経費も必要としない健康シートを得るにある。【解決手段】  合成樹脂材製のシート本体と、このシート本体の上面に所定間隔で突出するように形成されたボールの上部が外方へ突出した状態で保持することができる多数個のボール保持部と、この多数個のボール保持部にそれぞれ保持された遠赤外線が出る材質で形成された多数個のセラミックボールとで健康シートを構成している。【選択図】  図１
2007000275.tif 000002
【特許請求の範囲】
【請求項１】
合成樹脂材製のシート本体と、このシート本体の上面に所定間隔で突出するように形成されたボールの上部が外方へ突出した状態で保持することができる多数個のボール保持部と、この多数個のボール保持部にそれぞれ保持された遠赤外線が出る材質で形成された多数個のセラミックボールとからなることを特徴とする健康シート。
【請求項２】
合成樹脂材製の接続することができる形状に形成されたシート本体と、このシート本体に形成された複数個のシート本体を接続するための係合部および係合片と、前記シート本体の上面に所定間隔で突出するように形成されたボールの上部が外方へ突出した状態で保持することができる多数個のボール保持部と、この多数個のボール保持部にそれぞれ保持された遠赤外線が出る材質で形成された多数個のセラミックボールとからなることを特徴とする健康シート。
【発明の詳細な説明】
【技術分野】
【０００１】
本発明は指圧の効果と遠赤外線の効果が得られる健康シートに関する。
【背景技術】
【０００２】
従来、健康になるためや具合の悪いところを治すための健康器具として指圧、縦振動、マイナス電位を体に与えるもの等が考えられ、商品化されている。
【０００３】
しかしながら、これらは単に指圧効果を得たり、縦振動での刺激や、体にマイナス電位を与えるものであるので、効率よく身体のコリや冷え性の改善を図ることができないという欠点があった。
【特許文献１】特になし
【発明の開示】
【発明が解決しようとする課題】
【０００４】
本発明は以上のような従来の欠点に鑑み、指圧の効果と遠赤外線の効果で、効率よく身体のコリや冷え性等の改善を図ることができるとともに、安価で、電気代等の経費も必要としない健康シートを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は合成樹脂材製のシート本体と、このシート本体の上面に所定間隔で突出するように形成されたボールの上部が外方へ突出した状態で保持することができる多数個のボール保持部と、この多数個のボール保持部にそれぞれ保持された遠赤外線が出る材質で形成された多数個のセラミックボールとで健康シートを構成している。
【発明の効果】
【０００７】
以上の説明から明らかなように、本発明にあっては次に列挙する効果が得られる。
【０００８】
（１）合成樹脂材製のシート本体と、このシート本体の上面に所定間隔で突出するように形成されたボールの上部が外方へ突出した状態で保持することができる多数個のボール保持部と、この多数個のボール保持部にそれぞれ保持された遠赤外線が出る材質で形成された多数個のセラミックボールとで構成されているので、身体を多数個のセラミックボールの上に位置させることにより、該セラミックボールによる指圧効果と、体温からの熱によって出る遠赤外線効果によって、効率よくコリや冷え性等の改善を行なうことができる。
【０００９】
（２）前記（１）によって、使用に際して電気代等の費用のかかるものを使用しなくてもよいので、経済的に使用することができる。
【００１０】
（３）前記（１）によって、多数個のセラミックボールの上に身体を位置させるだけでよいので、容易で、かつ安全に使用することができる。
【００１１】
（４）請求項２も前記（１）〜（３）と同様な効果が得られるとともに、必要に応じて簡単に前後左右方向に接続して、使用に最適な大きさにして使用することができる
したがって、使用に応じた大きさのものを複数個用意しなくてもよいので、経済的に製造することができる。
【発明を実施するための最良の形態】
【００１２】
以下、図面に示す本発明を実施するための最良の形態より、本発明を詳細に説明する。
【００１３】
図１ないし図５に示す本発明を実施するための最良の第１の形態において、１は本発明の健康シートで、この健康シート１は使用目的に応じた大きさに形成されたポリプロピレン等のまげることができる合成樹脂材製のシート本体２と、このシート本体２の上面に所定間隔で突出するように形成された、例えば７ｍｍ〜１５ｍｍ程度のボールの上部が外方へ突出した状態で保持することができる多数個のボール保持部３と、この多数個のボール保持部３にそれぞれ圧入状態で保持された人体の温度で遠赤外線が出る材質で形成された多数個のセラミックボール４とで構成されている。
【００１４】
上記構成の健康シート１は腰や肩が具合が悪い場合には、図４に示すように該部位に位置するように敷き布団５に配置して寝ることにより、多数個のセラミックボール４による指圧効果と、該セラミックボール４から体温によって出る遠赤外線によって、遠赤外線を加えられながらの指圧となり、効率よくコリ等の不具合を改善させることができる。
また、冷え性の場合には健康シート１の上部に、図５に示すように足を位置させることにより、遠赤外線による加熱と指圧効果により血行がよくなり、効率よく冷え性が改善される。
[発明を実施するための異なる形態]
【００１５】
次に、図６ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図６ないし図９に示す本発明を実施するための第２の形態において、前記本発明を実施するための最良の第１の形態と主に異なる点は、縦寸法が３０ｃｍ、横寸法が５０ｃｍ、厚さが７ｍｍに形成されたシート本体２Ａを用いるとともに、前後左右端部に複数個のシート本体２Ａを前後左右方向に接続するための係合部６、６および係合片７、７を形成した点で、このように構成された健康シート１Ａは単独で使用したり、図８に示すように前後端部の係合部６、６と係合片７、７を係合させて接続して使用したり、図９に示すように左右端部の係合部６、６と係合片７、７を係合させて接続して使用したり、前後左右方向に接続したりして使用することができる。  
【００１７】
図１０ないし図１２に示す本発明を実施するための第３の形態において、前記本発明を実施するための第２の形態と主に異なる点は、多数個のセラミックボール４の上端部を除く部位のシート本体２Ａ上に、指圧効果を低減させるための多数個の透孔８を有するクッションシート９を面ファスナー１０等によって着脱可能に取付けられるようにした点で、このように構成した健康シート１Ｂにしても、前記本発明を実施するための第２の形態と同様な作用効果が得られるとともに、使用者に最適な指圧状態となるようにして使用することができる。
【００１８】
図１３ないし図１５に示す本発明を実施するための第４の形態において、前記本発明を実施するための最良の第１の形態と主に異なる点は、多数個の半円弧形状のボール保持部３Ａが形成されたシート本体２Ｂと、このシート本体２Ｂの多数個のボール保持部３Ａにそれぞれセラミックボール４を接着剤１１等を用いて固定した点で、このように構成した健康シート１Ｃにしても、前記本発明を実施するための最良の第１の形態と同様な作用効果が得られる。
【００１９】
なお、前記本発明を実施するための各形態ではシート本体２、２Ａ、２Ｂを四角形状に形成したものについて説明したが、本発明はこれに限らず、前後左右方向あるいは一方向に接続することができる三角形状、台形状、勾玉形状等に形成してもよい。また、接続するための係合部と係合片の形状はどんな形状で良いとともに、シート本体自体の形状で接続できるようにしても良い。
【産業上の利用可能性】
【００２０】
本発明は指圧効果や遠赤外線効果が得られる健康シートを製造する産業で利用される。
【図面の簡単な説明】
【００２１】
【図１】本発明を実施するための最良の第１の形態の平面図。
【図２】本発明を実施するための最良の第１の形態の正面図。
【図３】図１の３−３線に沿う拡大断面図。
【図４】本発明を実施するための最良の第１の形態の使用状態の説明図。
【図５】本発明を実施するための最良の第１の形態の異なる使用状態の説明図。
【図６】本発明を実施するための第２の形態の平面図。
【図７】図６の７−７線に沿う拡大断面図。
【図８】本発明を実施するための第２の形態の前後方向に接続した状態の説明図。
【図９】本発明を実施するための第２の形態の左右方向に接続した状態の説明図。
【図１０】本発明を実施するための第３の形態の平面図。
【図１１】図１０の１１−１１線に沿う拡大断面図。
【図１２】本発明を実施するための第３の形態のクッションシートを外した状態の説明図。
【図１３】本発明を実施するための第４の形態の平面図。
【図１４】本発明を実施するための第４の形態の正面図。
【図１５】図１３の１５−１５線に沿う拡大断面図。
【符号の説明】
【００２２】
１、１Ａ、１Ｂ、１Ｃ：健康シート、
２、２Ａ、２Ｂ：シート本体、        ３、３Ａ：ボール保持部、
４：セラミックボール、              ５：敷き布団、
６：係合部、                        ７：係合片、
８：透孔、                          ９：クッションシート、
１０：面ファスナー、                １１：接着剤。
【図１】
2007000275.tif 000003
【図２】
2007000275.tif 000004
【図３】
2007000275.tif 000005
【図４】
2007000275.tif 000006
【図５】
2007000275.tif 000007
【図６】
2007000275.tif 000008
【図７】
2007000275.tif 000009
【図８】
2007000275.tif 000010
【図９】
2007000275.tif 000011
【図１０】
2007000275.tif 000012
【図１１】
2007000275.tif 000013
【図１２】
2007000275.tif 000014
【図１３】
2007000275.tif 000015
【図１４】
2007000275.tif 000016
【図１５】
2007000275.tif 000017